(57)【特許請求の範囲】
【請求項１】
汽水分離用ドラムのレベル計測における基準レベル保持用として汽水分離用ドラムに円形断面を有する接続配管を介してリザーバを接続し、該リザーバの入口部における接続配管内に、リザーバ側から順次、高さ方向で互いにオーバラップする領域を有する円板を切り欠いた形状の上側堰板と下側堰板とを配設することにより、サイホンの原理でリザーバ内を満水状態に保持するようにしたリザーバ装置において、
前記円板の下部を前記接続配管の中心より下側の位置で水平に切り欠いた形状の上側堰板と、前記円板の上部を前記接続配管の中心より上側の位置で水平に切り欠いた形状の下側堰板とを配設した場合に比べ、前記上側堰板と下側堰板とのオーバラップする領域を、前記接続配管内における周方向へ拡張させるよう、前記上側堰板を円板の下部に逆Ｖ字状の切り込みを入れた形状とし、且つ前記下側堰板を円板の上部にＶ字状の切り込みを入れた形状とし、
前記上側堰板の逆Ｖ字状の切り込みの頂点が前記接続配管の中心より下側に位置し、且つ前記下側堰板のＶ字状の切り込みの頂点が前記接続配管の中心より上側に位置するようにしたことを特徴とするリザーバ装置。
【発明の詳細な説明】
【０００１】
【発明の属する技術分野】
本発明は、リザーバ装置に関するものである。
【０００２】
【従来の技術】
一般に、火力発電プラントのドラムボイラ等には、火炉の炉壁を形成する炉壁管で加熱された蒸気を水と分離するための汽水分離用ドラムが設けられているが、該汽水分離用ドラムはレベル計測を行う必要があり、該レベル計測における基準レベル保持用としてリザーバ装置が設けられる。
【０００３】
図３は汽水分離用ドラムに設けられたリザーバ装置の一例を表わすものであって、図中、１は汽水分離用ドラム、２はリザーバ装置、３はレベル計測装置である。
【０００４】
前記リザーバ装置２は、汽水分離用ドラム１の上部に接続配管４を介してリザーバ５を接続し、該リザーバ５の入口部における接続配管４内に、リザーバ５側から順次、高さ方向で互いにオーバラップする領域を有する上側堰板６と下側堰板７とを配設することにより、サイホンの原理でリザーバ５内を満水状態に保持するようにした構成を有している。
【０００５】
又、前記レベル計測装置３は、汽水分離用ドラム１の下部に接続配管８を介してドラム内ヘッド検出室９を接続すると共に、前記リザーバ５の底部に接続配管１０を介してリザーバ内ヘッド検出室１１を接続し、該リザーバ内ヘッド検出室１１とドラム内ヘッド検出室９との差圧を検出する差圧検出器１２を設けてなる構成を有している。
【０００６】
ボイラの運転時には、前記汽水分離用ドラム１に対して、図示していない火炉の炉壁を形成する炉壁管で加熱された水を含む蒸気が導入され、該汽水分離用ドラム１において蒸気と水が分離されるが、このとき、前記リザーバ装置２による基準レベルは下側堰板７の高さに略一定に保持されており、前記レベル計測装置３の差圧検出器１２によって、リザーバ内ヘッド検出室１１とドラム内ヘッド検出室９との差圧を検出することにより、汽水分離用ドラム１のレベルが計測されるようになっている。
【０００７】
尚、仮に、前記リザーバ装置２を設けずに接続配管４と接続配管１０とを単に接続し、該接続配管１０内に水を溜めておいた場合、基準レベルの変動が大きくなり、汽水分離用ドラム１のレベルの計測値の精度が低下してしまうため、リザーバ５を設けることにより、基準レベルの変動を抑制するようになっており、更に、リザーバ５だけを設けて上側堰板６と下側堰板７を仮に設けないとすると、リザーバ５内における水面の表面積が大きくなり、蒸発量が増加して基準レベルの変動（低下）が生じることから、図３に示されるように、リザーバ５だけではなく上側堰板６と下側堰板７を設けることにより、サイホンの原理でリザーバ５内を満水状態に保持しつつ、水面の表面積を小さくし、蒸発量を減少させて基準レベルの変動を最小限に抑えるようになっている。
【０００８】
【発明が解決しようとする課題】
前記リザーバ装置２の上側堰板６と下側堰板７は、図４及び図５に示される如く、略半円形の板で形成されているため、接続配管４に対する取付時に、誤って接続配管４の軸線を中心とする周方向へ傾斜する形で上側堰板６或いは下側堰板７が固定されてしまったような場合、サイホンの原理が崩れてしまい、リザーバ５内を満水状態に保持することができなくなり、本来の性能が得られなくなって、汽水分離用ドラム１のレベルの計測値の精度も低下してしまう虞があった。
【０００９】
本発明は、斯かる実情に鑑み、上側堰板或いは下側堰板が接続配管の軸線を中心とする周方向へ若干傾斜する形で取り付けられたとしても、サイホンの原理が崩れてしまうことを防止でき、リザーバ内を満水状態に保持し得、本来の性能が得られ、汽水分離用ドラムのレベルの計測値の精度向上に寄与し得るリザーバ装置を提供しようとするものである。
【００１０】
【課題を解決するための手段】
本発明は、汽水分離用ドラムのレベル計測における基準レベル保持用として汽水分離用ドラムに円形断面を有する接続配管を介してリザーバを接続し、該リザーバの入口部における接続配管内に、リザーバ側から順次、高さ方向で互いにオーバラップする領域を有する円板を切り欠いた形状の上側堰板と下側堰板とを配設することにより、サイホンの原理でリザーバ内を満水状態に保持するようにしたリザーバ装置において、
前記円板の下部を前記接続配管の中心より下側の位置で水平に切り欠いた形状の上側堰板と、前記円板の上部を前記接続配管の中心より上側の位置で水平に切り欠いた形状の下側堰板とを配設した場合に比べ、前記上側堰板と下側堰板とのオーバラップする領域を、前記接続配管内における周方向へ拡張させるよう、前記上側堰板を円板の下部に逆Ｖ字状の切り込みを入れた形状とし、且つ前記下側堰板を円板の上部にＶ字状の切り込みを入れた形状とし、
前記上側堰板の逆Ｖ字状の切り込みの頂点が前記接続配管の中心より下側に位置し、且つ前記下側堰板のＶ字状の切り込みの頂点が前記接続配管の中心より上側に位置するようにしたことを特徴とするリザーバ装置にかかるものである。
【００１１】
上記手段によれば、以下のような作用が得られる。
【００１２】
前述の如く、前記円板の下部を前記接続配管の中心より下側の位置で水平に切り欠いた形状の上側堰板と、前記円板の上部を前記接続配管の中心より上側の位置で水平に切り欠いた形状の下側堰板とを配設した場合に比べ、前記上側堰板と下側堰板とのオーバラップする領域を、前記接続配管内における周方向へ拡張させるよう、前記上側堰板を円板の下部に逆Ｖ字状の切り込みを入れた形状とし、且つ前記下側堰板を円板の上部にＶ字状の切り込みを入れた形状とし、
前記上側堰板の逆Ｖ字状の切り込みの頂点が前記接続配管の中心より下側に位置し、且つ前記下側堰板のＶ字状の切り込みの頂点が前記接続配管の中心より上側に位置するようにすると、従来のように、上側堰板と下側堰板を略半円形の板で形成するのとは異なり、接続配管に対する取付時に、誤って接続配管の軸線を中心とする周方向へ傾斜する形で上側堰板或いは下側堰板が固定されてしまったとしても、サイホンの原理が崩れてしまうことはなく、リザーバ内を満水状態に保持することが可能となり、本来の性能が得られなくなってしまう心配はなく、汽水分離用ドラムのレベルの計測値の精度も低下しなくなる。
【００１３】
【発明の実施の形態】
以下、本発明の実施の形態を図示例と共に説明する。
【００１４】
図１及び図２は本発明を実施する形態の一例であって、図中、図３〜図５と同一の符号を付した部分は同一物を表わしており、基本的な構成は図３〜図５に示す従来のものと同様であるが、本図示例の特徴とするところは、図１及び図２に示す如く、上側堰板６を円板の下部に逆Ｖ字状の切り込み６ａを入れた形状とし、且つ下側堰板７を円板の上部にＶ字状の切り込み７ａを入れた形状とし、上側堰板６と下側堰板７とのオーバラップする領域を、接続配管４内における周方向へ拡張させた点にある。
【００１５】
次に、上記図示例の作動を説明する。
【００１６】
前述の如く、上側堰板６を円板の下部に逆Ｖ字状の切り込み６ａを入れた形状とし、且つ下側堰板７を円板の上部にＶ字状の切り込み７ａを入れた形状とし、上側堰板６と下側堰板７とのオーバラップする領域を、接続配管４内における周方向へ拡張させると、従来のように、上側堰板６と下側堰板７を略半円形の板で形成するのとは異なり、接続配管４に対する取付時に、誤って接続配管４の軸線を中心とする周方向へ傾斜する形で上側堰板６或いは下側堰板７が固定されてしまったとしても、サイホンの原理が崩れてしまうことはなく、リザーバ５内を満水状態に保持することが可能となり、本来の性能が得られなくなってしまう心配はなく、汽水分離用ドラム１のレベルの計測値の精度も低下しなくなる。
【００１７】
こうして、上側堰板６或いは下側堰板７が接続配管４の軸線を中心とする周方向へ若干傾斜する形で取り付けられたとしても、サイホンの原理が崩れてしまうことを防止でき、リザーバ５内を満水状態に保持し得、本来の性能が得られ、汽水分離用ドラム１のレベルの計測値の精度向上に寄与し得る。
【００１８】
尚、本発明のリザーバ装置は、上述の図示例にのみ限定されるものではなく、本発明の要旨を逸脱しない範囲内において種々変更を加え得ることは勿論である。
【００１９】
【発明の効果】
以上、説明したように本発明のリザーバ装置によれば、上側堰板或いは下側堰板が接続配管の軸線を中心とする周方向へ若干傾斜する形で取り付けられたとしても、サイホンの原理が崩れてしまうことを防止でき、リザーバ内を満水状態に保持し得、本来の性能が得られ、汽水分離用ドラムのレベルの計測値の精度向上に寄与し得るという優れた効果を奏し得る。
【図面の簡単な説明】
【図１】本発明を実施する形態の一例の斜視図であって、図３のＩＶ部相当図である。
【図２】図１のＩＩ−ＩＩ矢視図である。
【図３】汽水分離用ドラムに設けられたリザーバ装置の一例を表わす全体概要構成図である。
【図４】従来例の斜視図であって、図３のＩＶ部相当図である。
【図５】図４のＶ−Ｖ矢視図である。
【符号の説明】
１    汽水分離用ドラム
２    リザーバ装置
４    接続配管
５    リザーバ
６    上側堰板
６ａ  逆Ｖ字状の切り込み
７    下側堰板
７ａ  Ｖ字状の切り込み
【図１】
0004556287.tif 000002
【図２】
0004556287.tif 000003
【図３】
0004556287.tif 000004
【図４】
0004556287.tif 000005
【図５】
0004556287.tif 000006